(57)【要約】  カードロック機構の小型化が可能で、かつ、フィッシングを確実に阻止することが可能なカードリーダを提供する。このカードリーダ（１）は、カード搬送路（Ｗ）におけるカード（２）の搬送異常が検出されたときにカード挿入口（３）からのカードの引抜きを阻止するためのカードロック機構（７）を備えている。カードロック機構は、モータ（１４）と、カードに接触してカードの引抜きを阻止する阻止爪（３５ａ）が形成されるロック部材（１５）と、モータの動力をロック部材に伝達する動力伝達機構（１６）とを備えている。ロック部材は、モータから伝達される動力によって、カードに阻止爪が接触する位置とカード搬送路から阻止爪が退避する位置との間で移動する。また、動力伝達機構は、ねじ歯車（１８）と、ねじ歯車と噛み合うはす歯歯車（１９）とから構成されるウォームギヤ（２０）を備えている。
2015087866.tif 000002
【特許請求の範囲】
【請求項１】
カードが挿入されるとともに排出されるカード挿入口と、前記カード挿入口から挿入された前記カードが搬送されるカード搬送路と、前記カード搬送路における前記カードの搬送に異常が検出されたときに前記カード挿入口からの前記カードの引抜きを阻止するためのカードロック機構とを備え、  前記カードロック機構は、モータと、前記カードに接触して前記カードの引抜きを阻止する阻止爪が形成されるとともに前記モータから伝達される動力によって前記カードに前記阻止爪が接触する接触位置と前記カード搬送路から前記阻止爪が退避する退避位置との間で移動するロック部材と、前記モータの動力を前記ロック部材に伝達する動力伝達機構とを備え、  前記動力伝達機構は、ねじ歯車と、前記ねじ歯車と噛み合うはす歯歯車とから構成されるウォームギヤを備え、  前記ねじ歯車は、前記モータから前記ロック部材への動力の伝達方向において前記はす歯歯車よりも前記モータ側に配置されていることを特徴とするカードリーダ。
【請求項２】
前記カードに記録された磁気データの読取および前記カードへの磁気データの記録の少なくともいずれか一方を行う磁気ヘッドを備えるとともに、略長方形状に形成される前記カードを前記カードの短手方向で搬送して処理するように構成され、  前記磁気ヘッドは、前記カードの厚み方向における前記カード搬送路の一方側から前記カード搬送路に臨むように配置され、  前記ロック部材は、前記カードの厚み方向における前記カード搬送路の一方側から前記阻止爪が前記カードに接触するように、前記カードの厚み方向における前記カード搬送路の一方側に配置されていることを特徴とする請求項１記載のカードリーダ。
【請求項３】
前記動力伝達機構は、前記モータの出力軸に固定される前記ねじ歯車と、前記はす歯歯車が固定される第１回転軸と、前記第１回転軸に固定される第１の平歯車と、前記第１の平歯車と噛み合う第２の平歯車と、前記第２の平歯車が相対回転可能に保持される第２回転軸と、前記第２回転軸に固定される第３の平歯車と、前記第２回転軸の軸方向へ突出するように前記第２の平歯車の側面に固定される２本の歯車側ピンと、前記第２回転軸の径方向の両側へ突出するようにかつ２本の前記歯車側ピンに接触可能となるように前記第２回転軸に固定される軸側ピンとを備え、  ２本の前記歯車側ピンと前記軸側ピンとによって、前記モータと前記ロック部材との間の動力伝達経路における前記第２の平歯車と前記第２回転軸との間の動力伝達を断続するピンクラッチが構成され、  前記ロック部材には、前記第３の平歯車と噛み合う歯部が形成され、  前記カードロック機構は、前記ロック部材を回動可能に保持する固定軸または前記ロック部材と一緒に回動する回動軸を備え、  前記ロック部材は、前記固定軸または前記回動軸を中心に回動して、前記接触位置と前記退避位置との間を移動することを特徴とする請求項１または２記載のカードリーダ。
【請求項４】
前記カードロック機構は、前記ロック部材を回動可能に保持する固定軸または前記ロック部材と一緒に回動する回動軸を備え、  前記ロック部材は、前記固定軸または前記回動軸を中心に回動して、前記接触位置と前記退避位置との間を移動し、  前記退避位置から前記接触位置へ移動するときの前記ロック部材の回動方向を第１方向とすると、  前記阻止爪が接触している状態の前記カードに前記カードの排出方向への引抜き力が生じたときに、前記ロック部材には、前記第１方向への回動力が生じ、  前記阻止爪の先端は、前記阻止爪が接触している状態の前記カードに前記カードの排出方向への引抜き力が生じたときに前記カードに突き刺さるように尖っていることを特徴とする請求項１から３のいずれかに記載のカードリーダ。
【発明の詳細な説明】
【技術分野】
【０００１】  本発明は、カードに記録されたデータの読取やカードへのデータの記録を行うカードリーダに関する。
【背景技術】
【０００２】  従来、カードに記録されたデータの読取やカードへのデータの記録を行うカードリーダが広く利用されている。カードリーダが利用される金融機関等の業界では、犯罪者がカードリーダ内でカードを意図的に詰まらせて、カードを不正に取得するいわゆるフィッシングが大きな問題となっている。そこで、従来、フィッシングを防止するためのカードロック機構を備えるカードリーダが提案されている（たとえば、特許文献１参照）。【０００３】  特許文献１に記載のカードリーダでは、カードロック機構は、カード挿入口からのカードの引抜きを阻止するロックレバーを備えている。ロックレバーは、カードに接触してカードの引抜きを阻止する略三角形状のロック歯を備えている。このロックレバーは、支持ピンに回動可能に支持されている。また、ロックレバーは、連結レバー、扇状歯車および減速歯車列を介してモータに連結されている。ロックレバーは、モータの動力によって、カード搬送路からロック歯が退避している位置と、ロック歯がカードに接触する位置との間で回動可能となっている。また、減速歯車列は、多くの歯車によって構成されている。そのため、このカードリーダでは、モータからロックレバーへの動力の伝達経路における減速比が大きくなっており、出力の小さい小型のモータを使用しても、カードへのロック歯の接触圧を確保することが可能となっている。【０００４】  特許文献１に記載のカードリーダでは、カード搬送路内でカードが異常停止してカードが詰まると、カードロック機構が作動して、カード搬送路から退避していたロック歯がカードに接触する。ロック歯は、カードにロック歯が接触しているときに、カードに向かうにしたがってカードリーダの奥側へ向かうように傾いている。そのため、カード挿入口からカードが引き抜かれると、カードにロック歯が刺さって、カード挿入口からのカードの引抜きが阻止される。
【先行技術文献】
【特許文献】
【０００５】
【特許文献１】特開２００６−１５５５６７号公報
【発明の概要】
【発明が解決しようとする課題】
【０００６】  犯罪者による犯罪行為は、年々、巧妙化しており、特許文献１に記載のカードリーダでも、犯罪者によるフィッシングが行われるおそれがあることが判明した。具体的には、犯罪者が、カード挿入口から所定の道具を挿入し、カードにロック歯が接触している状態のロックレバーをカードから離すとともに、カード挿入口からカードを引き抜くことで、犯罪者によるフィッシングが行われるおそれがあることが判明した。【０００７】  また、特許文献１に記載のカードリーダでは、モータからロックレバーへの動力の伝達経路における減速比が大きくなっているため、小型のモータを用いても、カードへのロック歯の接触圧を確保することが可能である。しかしながら、このカードリーダでは、モータからロックレバーへの動力の伝達経路における減速比を大きくするために、減速歯車列が多くの歯車によって構成されている。したがって、このカードリーダでは、小型のモータが使用されても、カードロック機構は大型化する。【０００８】  そこで、本発明の課題は、カードロック機構の小型化が可能で、かつ、フィッシングを確実に阻止することが可能なカードリーダを提供することにある。
【課題を解決するための手段】
【０００９】  上記の課題を解決するため、本発明のカードリーダは、カードが挿入されるとともに排出されるカード挿入口と、カード挿入口から挿入されたカードが搬送されるカード搬送路と、前記カード搬送路における前記カードの搬送に異常が検出されたときにカード挿入口からのカードの引抜きを阻止するためのカードロック機構とを備え、カードロック機構は、モータと、カードに接触してカードの引抜きを阻止する阻止爪が形成されるとともにモータから伝達される動力によってカードに阻止爪が接触する接触位置とカード搬送路から阻止爪が退避する退避位置との間で移動するロック部材と、モータの動力をロック部材に伝達する動力伝達機構とを備え、動力伝達機構は、ねじ歯車と、ねじ歯車と噛み合うはす歯歯車とから構成されるウォームギヤを備え、ねじ歯車は、モータからロック部材への動力の伝達方向においてはす歯歯車よりもモータ側に配置されていることを特徴とする。【００１０】  本発明のカードリーダでは、モータの動力をロック部材に伝達する動力伝達機構がウォームギヤを備えており、ウォームギヤでの減速比を大きくすることができる。そのため、本発明では、動力伝達機構を構成する歯車の数を減らしても、モータからロック部材への動力の伝達経路における減速比を大きくすることが可能になる。したがって、本発明では、小型のモータを使用しても、カードへの阻止爪の接触圧を確保することが可能になる。このように本発明では、動力伝達機構を構成する歯車の数を減らしても、また、小型のモータを使用しても、カードへの阻止爪の接触圧を確保することが可能になるため、カードへの阻止爪の接触圧を確保しつつ、カードロック機構を小型化することが可能になる。【００１１】  また、本発明では、モータからロック部材への動力の伝達経路にウォームギヤが配置されているため、犯罪者がカード挿入口から挿入される所定の道具を用いて接触位置から退避位置に向かう方向へロック部材を押そうとしても、ウォームギヤを構成するはす歯歯車は、ほとんど回転しない。したがって、本発明では、阻止爪とカードとの接触状態が解除されるまで阻止爪が移動するのを阻止することが可能になり、阻止爪が接触している状態のカードを犯罪者が道具を用いてカード挿入口から引き抜こうとしても、阻止爪の作用で、カード挿入口からのカードの引抜きを阻止することが可能になる。その結果、本発明では、フィッシングを確実に防止することが可能になる。【００１２】  本発明において、カードリーダは、カードに記録された磁気データの読取およびカードへの磁気データの記録の少なくともいずれか一方を行う磁気ヘッドを備えるとともに、略長方形状に形成されるカードをカードの短手方向で搬送して処理するように構成され、磁気ヘッドは、カードの厚み方向におけるカード搬送路の一方側からカード搬送路に臨むように配置され、ロック部材は、カードの厚み方向におけるカード搬送路の一方側から阻止爪がカードに接触するように、カードの厚み方向におけるカード搬送路の一方側に配置されていることが好ましい。すなわち、本発明において、カードの、磁気ストライプが形成される側の面に阻止爪が接触するように、ロック部材が配置されていることが好ましい���このように構成すると、万が一、阻止爪が接触している状態のカードが犯罪者によって引き抜かれたとしても、阻止爪によってカードの磁気ストライプに傷をつけることが可能になる。したがって、万が一、阻止爪が接触している状態のカードが犯罪者によって引き抜かれたとしても、引き抜かれたカードの使用を阻止することが可能になる。【００１３】  本発明において、たとえば、動力伝達機構は、モータの出力軸に固定されるねじ歯車と、はす歯歯車が固定される第１回転軸と、第１回転軸に固定される第１の平歯車と、第１の平歯車と噛み合う第２の平歯車と、第２の平歯車が相対回転可能に保持される第２回転軸と、第２回転軸に固定される第３の平歯車と、第２回転軸の軸方向へ突出するように第２の平歯車の側面に固定される２本の歯車側ピンと、第２回転軸の径方向の両側へ突出するようにかつ２本の歯車側ピンに接触可能となるように第２回転軸に固定される軸側ピンとを備え、２本の歯車側ピンと軸側ピンとによって、モータとロック部材との間の動力伝達経路における第２の平歯車と第２回転軸との間の動力伝達を断続するピンクラッチが構成され、ロック部材には、第３の平歯車と噛み合う歯部が形成され、カードロック機構は、ロック部材を回動可能に保持する固定軸またはロック部材と一緒に回動する回動軸を備え、ロック部材は、固定軸または回動軸を中心に回動して、接触位置と退避位置との間を移動する。【００１４】  本発明において、カードロック機構は、ロック部材を回動可能に保持する固定軸またはロック部材と一緒に回動する回動軸を備え、ロック部材は、固定軸または回動軸を中心に回動して、接触位置と退避位置との間を移動し、退避位置から接触位置へ移動するときのロック部材の回動方向を第１方向とすると、阻止爪が接触している状態のカードにカードの排出方向への引抜き力が生じたときに、ロック部材には、第１方向への回動力が生じ、阻止爪の先端は、阻止爪が接触している状態のカードにカードの排出方向への引抜き力が生じたときにカードに突き刺さるように尖っていることが好ましい。このように構成すると、阻止爪が接触している状態のカードを犯罪者がカード挿入口から引き抜こうとしても、阻止爪の先端がカードに突き刺さる。したがって、カード挿入口からのカードの引抜きを効果的に阻止することが可能になる。
【発明の効果】
【００１５】  以上のように、本発明のカードリーダでは、カードロック機構を小型化すること、および、フィッシングを確実に阻止することが可能になる。
【図面の簡単な説明】
【００１６】
【図１】本発明の実施の形態にかかるカードリーダの斜視図である。
【図２】図１に示すカード挿入部の、カード搬送路よりも下側部分の斜視図である。
【図３】図２に示す状態から下フレームを取り除いた状態の斜視図である。
【図４】図３に示すカードロック機構を別の角度から示す斜視図である。
【図５】図４に示す第２の平歯車と第２回転軸との間に配置されるピンクラッチの構成を説明するための概略図である。
【発明を実施するための形態】
【００１７】  以下、図面を参照しながら、本発明の実施の形態を説明する。
【００１８】  （カードリーダの概略構成）  図１は、本発明の実施の形態にかかるカードリーダ１の斜視図である。図２は、図１に示すカード挿入部４の、カード搬送路Ｗよりも下側部分の斜視図である。
【００１９】  本形態のカードリーダ１は、カード２に記録された磁気データの読取およびカード２への磁気データの記録の少なくとも一方を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。すなわち、本形態のカードリーダ１は、所定の上位装置からのコマンド命令に応じて、動作する。このカードリーダ１は、カード２が挿入されるとともに排出されるカード挿入口３が形成されるカード挿入部４と、本体部５とを備えている。カードリーダ１の内部には、カード挿入口３から挿入されたカード２が搬送されるカード搬送路Ｗが形成されている。カード搬送路Ｗは、カード挿入口３からカード挿入部４を通過して本体部５まで搬送されるカード２が通過する通路として形成されている。また、カードリーダ１は、カード搬送路Ｗにおけるカード２の搬送異常が検出されたときに、カード挿入口３からのカード２の引抜きを阻止するためのカードロック機構７を備えている。
【００２０】本形態では、上位装置は、カード２の搬送異常が検出されると、犯罪者の不正行為等の異常が発生したと判断して、カードロック機構７を駆動するコマンド命令をカードリーダ１に対して発するように構成されている。具体的に、カード２の搬送異常が発生したと判断する場合としては、上位装置がカード２を搬送させるコマンドが出しているにもかかわらずカード２の移動が検出できないときに、カード２が異常停止してカード搬送路Ｗにカード２が詰まったと判断する場合、カード２の搬送を停止するように制御しているにもかかわらずカード搬送路Ｗ内をカード２が移動している場合、さらに、カード搬送路Ｗ内のカード移動位置を検知するセンサが反応すべきではないときにカード検知信号を発する場合などがある。このように、上位装置は、そのコマンドに対応しないカードリーダ１の異常状況を検知したときに、犯罪者による不正行為が発生したと判断してカードロック機構７を駆動させるように構成されている。
【００２１】  カード２は、厚さが０．７〜０．８ｍｍ程度の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気データが記録される磁気ストライプが形成されている。また、カード２には、ＩＣチップが内蔵されている。
【００２２】  本形態では、図１等に示すＸ方向でカード２が搬送される。具体的には、Ｘ１方向にカード２が取り込まれ、Ｘ２方向にカード２が排出される。すなわち、Ｘ方向は、カード２の搬送方向であり、Ｘ１方向は、カード２の取込方向であり、Ｘ２方向は、カード２の排出方向である。また、本形態では、カード２の短手方向とＸ方向とが一致するように、カードリーダ１にカード２が取り込まれる。また、カード２の短手方向とＸ方向とが一致するように、カードリーダ１内でカード２が搬送される。すなわち、カードリーダ１は、カード２の短手方向でカード２を搬送して所定の処理を実行するように構成されている。
【００２３】  また、Ｘ方向に直交するＹ方向は、カード搬送路Ｗの幅方向であり、カードリーダ１内に正しい姿勢で取り込まれたカード２の長手方向である。また、Ｘ方向とＹ方向とに直交する図１等のＺ方向は、カード搬送路Ｗの高さ方向であり、カードリーダ１内に取り込まれたカード２の厚み方向である。本形態では、Ｚ方向と鉛直方向とが一致するようにカードリーダ１が配置されている。以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２４】  カード挿入部４は、本体部５の前端面に取り付けられている。本体部５は、カード２に記録された磁気データの読取およびカード２への磁気データの記録の少なくともいずれか一方を行う磁気ヘッド（図示省略）と、カード２に内蔵されるＩＣチップとの間でデータの通信を行うためのＩＣ接点（図示省略）を備えている。
【００２５】  磁気ヘッドは、カード搬送路Ｗの下側からカード搬送路Ｗに臨むように配置されている。また、磁気ヘッドは、左右方向へ移動可能なキャリッジ（図示省略）に搭載されている。キャリッジは、キャリッジ駆動機構８に連結されており、磁気ヘッドは、キャリッジと一緒に左右方向へ移動する。また、磁気ヘッドは、カード２に接触可能な位置とカード搬送路Ｗから退避する位置との間で上下動する。ＩＣ接点は、カード搬送路Ｗの上側からカード搬送路Ｗに臨むように配置されている。また、ＩＣ接点は、ＩＣ接点ブロックに固定されている。ＩＣ接点ブロックは、ＩＣ接点ブロック駆動機構に連結されており、ＩＣ接点は、カード２に接触可能な位置とカード搬送路Ｗから退避する位置との間で上下動する。
【００２６】  また、本体部５は、カード２に当接してカード２を搬送する搬送ローラ１０（図１参照）と、搬送ローラ１０に対向配置されるパッドローラ１１（図２参照）とを備えている。搬送ローラ１０は、上側からカード搬送路Ｗに臨むように配置されている。パッドローラ１１は、下側からカード搬送路Ｗに臨むように配置されている。
【００２７】  （カードロック機構の構成）  図３は、図２に示す状態から下フレーム１３を取り除いた状態の斜視図である。図４は、図３に示すカードロック機構７を別の角度から示す斜視図である。図５は、図４に示す平歯車２３と回転軸２４との間に配置されるピンクラッチ３１の構成を説明するための概略図である。
【００２８】  カードロック機構７は、モータ１４と、カード２の引抜きを阻止するためのロック部材１５と、モータ１４の動力をロック部材１５に伝達する動力伝達機構１６とを備えている。このカードロック機構７は、カード搬送路Ｗの下側に配置されている。具体的には、カードロック機構７は、図２に示すように、カード挿入部４におけるカード搬送路Ｗの下面部分を構成する下フレーム１３の下側に配置されている。下フレーム１３には、ロック部材１５を構成する後述の阻止爪３５ａが通過する通過孔１３ａが上下方向に貫通するように形成されている。
【００２９】  モータ１４は、その出力軸が上側へ突出するように、支持フレーム１７に固定されている。支持フレーム１７は、下フレーム１３の下側に固定されている。動力伝達機構１６は、モータ１４の出力軸に固定されるねじ歯車１８とこのねじ歯車１８と噛み合うはす歯歯車１９とから構成されるウォームギヤ２０と、はす歯歯車１９が固定される第１回転軸としての回転軸２１と、回転軸２１に固定される第１の平歯車としての平歯車２２と、平歯車２２と噛み合う第２の平歯車としての平歯車２３と、平歯車２３が相対回転可能に保持される第２回転軸としての回転軸２４と、回転軸２４に固定される第３の平歯車としての平歯車２５とを備えている。平歯車２５は、ロック部材１５を構成する後述のロック板３５に形成される歯部３５ｂに噛み合っている。そのため、モータ１４からロック部材１５への動力の伝達方向におけるモータ１４側を前段とし、ロック部材１５側を後段とすると、モータ１４からロック部材１５への動力の伝達方向において、ねじ歯車１８は、はす歯歯車１９よりも前段（すなわち、モータ１４側）に配置されている。
【００３０】  回転軸２１は、その軸方向と左右方向とが一致するように配置されている。また、回転軸２１は、中空状に形成されている。すなわち、回転軸２１は、細長い円筒状に形成されている。回転軸２１の内周側には、固定軸２８が挿通されている。固定軸２８は、その軸方向と左右方向とが一致するように支持フレーム１７に固定されている。はす歯歯車１９は、回転軸２１の右端側に固定され、平歯車２２は、回転軸２１の左端側に固定されている。
【００３１】  回転軸２４は、その軸方向と左右方向とが一致するように配置されている。また、回転軸２４は、支持フレーム１７に回転可能に保持されている。平歯車２３は、回転軸２４の右端側で回転軸２４に相対回転可能に保持されている。平歯車２５は、回転軸２４の左端側に固定されている。平歯車２３の左側面には、円柱状の２本の歯車側ピン２９が左方向へ突出するように固定されている（図５参照）。２本の歯車側ピン２９は、回転軸２４を中心とする１８０°ピッチで平歯車２３に固定されている。回転軸２４には、その径方向の両側へ突出する軸側ピン３０が固定されている（図５参照）。軸側ピン３０は、２本の歯車側ピン２９に接触可能となるように回転軸２４に固定されている。本形態では、２本の歯車側ピン２９と軸側ピン３０とによって、モータ１４とロック部材１５との間の動力伝達経路において平歯車２３と回転軸２４との間の動力伝達を断続するピンクラッチ３１が構成されている。
【００３２】  ロック部材１５は、カード２に接触してカード２の引抜きを阻止する阻止爪３５ａが形成される２枚のロック板３５を備えている。ロック板３５には、阻止爪３５ａに加えて、平歯車２５と噛み合う歯部３５ｂが形成されている。ロック板３５は、左右方向を厚み方向とする平板状に形成されている。ロック板３５の前上端側は、支持フレーム１７に固定される固定軸３６に回動可能に保持されている。すなわち、ロック部材１５の前上端側は、固定軸３６に回動可能に保持されている。固定軸３６は、その軸方向と左右方向とが一致するように配置されている。２枚のロック板３５は、左右方向に所定の間隔をあけた状態で固定軸３６に保持されている。
【００３３】  阻止爪３５ａは、ロック板３５の上端側に形成されている。また、阻止爪３５ａは、固定軸３６よりも奥側に配置されている。阻止爪３５ａは、左右方向から見たときに先端側に向かうにしたがってその幅が狭くなる三角形状に形成されている。すなわち、阻止爪３５ａの先端は尖っている。歯部３５ｂは、平歯車２５と噛み合う複数の歯によって構成されている。この歯部３５ｂは、ロック板３５の奥端側に形成されている。具体的には、ロック板３５の奥端側部分は、左右方向から見たときの形状が固定軸３６を中心とする扇形状となるように形成されており、歯部３５ｂは、ロック板３５の奥端面に形成されている。
【００３４】  ロック部材１５は、阻止爪３５ａが下側からカード２に接触するように、カード搬送路Ｗの下側に配置されている。また、ロック部材１５は、阻止爪３５ａが下フレーム１３の通過孔１３ａを通過して、下側からカード２に接触するように配置されている。
【００３５】  ロック部材１５は、動力伝達機構１６を介してモータ１４から伝達される動力によって、カード２に阻止爪３５ａが接触する接触位置と、カード搬送路Ｗから阻止爪３５ａが退避する退避位置との間で移動可能となっている。すなわち、ロック部材１５は、モータ１４から伝達される動力によって、固定軸３６を中心に回動して、接触位置と退避位置との間を移動する。退避位置にロック部材１５があるときには、阻止爪３５ａは、下フレーム１３の下側に配置されており、カード２に接触することはない。一方、接触位置にロック部材１５があるときには、図２に示すように、阻止爪３５ａの先端側は、下フレーム１３の上側へ突出しており、カード２に接触可能となっている。このときには、阻止爪３５ａの基端側は、通過孔１３ａの中に配置されている。
【００３６】  本形態では、平歯車２５が図４の時計回りの方向（以下、この方向を「時計方向」とする）へ回動するようにモータ１４が回転すると、ロック部材１５が固定軸３６を中心にして図４の反時計回りの方向（以下、この方向を「反時計方向」とする）へ回動して、退避位置から接触位置に向かってロック部材１５が移動する。また、平歯車２５が反時計方向へ回動するようにモータ１４が回転すると、ロック部材１５が固定軸３６を中心にして時計方向へ回動して、接触位置から退避位置に向かってロック部材１５が移動する。本形態の反時計方向は、退避位置から接触位置に向かってロック部材１５が移動するときのロック部材１５の回動方向となる第１方向である。
【００３７】  なお、ロック部材１５には、左右方向の両側へ突出するガイドピン３７が固定されている。ガイドピン３７は、支持フレーム１７に形成されるガイド溝１７ａ（図３参照）に係合している。接触位置と退避位置との間を移動するロック部材１５は、ガイドピン３７とガイド溝１７ａとによって案内される。
【００３８】  ロック部材１５が接触位置にあるときには、阻止爪３５ａは、図２に示すように、上側に向かうにしたがって奥側に向かうように傾斜している。具体的には、ロック部材１５が接触位置にあるときに、三角形状に形成される阻止爪３５ａの先端が奥上側に向かうように、阻止爪３５ａは、奥上側に向かって突出している。
【００３９】  阻止爪３５ａが接触している状態のカード２に前側への引抜き力が生じると、ロック部材１５には、反時計方向の回動力が生じる。上述のように、ロック部材１５の前上端側が固定軸３６に回動可能に保持され、また、ロック部材１５が接触位置にあるときに、阻止爪３５ａの先端が奥上側に向かうように、阻止爪３５ａが奥上側に向かって突出しているため、阻止爪３５ａが接触している状態のカード２に前側への引抜き力が生じると、阻止爪３５ａの先端がカード２に突き刺さる。すなわち、阻止爪３５ａの先端は、阻止爪３５ａが接触している状態のカード２に前側への引抜き力が生じたときにカード２に突き刺さるように尖っている。
【００４０】  （本形態の主な効果）  以上説明したように、本形態では、モータ１４の動力をロック部材１５に伝達する動力伝達機構１６がウォームギヤ２０を備えており、ウォームギヤ２０での減速比を大きくすることができる。そのため、本形態では、動力伝達機構１６を構成する歯車の数を減らしても、モータ１４からロック部材１５への動力の伝達経路における減速比を大きくすることが可能になる。したがって、本形態では、小型のモータ１４を使用しても、カード２への阻止爪３５ａの接触圧を確保することが可能になる。このように本形態では、動力伝達機構１６を構成する歯車の数を減らしても、また、小型のモータ１４を使用しても、カード２への阻止爪３５ａの接触圧を確保することが可能になるため、カード２への阻止爪３５ａの接触圧を確保しつつ、カードロック機構７を小型化することが可能になる。
【００４１】  また、本形態では、モータ１４からロック部材１５への動力の伝達経路にウォームギヤ２０が配置されているため、犯罪者がカード挿入口３から挿入される所定の道具を用いて接触位置から退避位置に向かう方向へロック部材１５を押そうとしても、ねじ歯車１８によってその回転が阻止されるはす歯歯車１９は、ほとんど回転しない。したがって、本形態では、阻止爪３５ａとカード２との接触状態が解除されるまで阻止爪３５ａが移動するのを阻止することが可能になり、阻止爪３５ａが接触している状態のカード２を犯罪者が道具を用いてカード挿入口３から引き抜こうとしても、阻止爪３５ａの作用で、カード挿入口３からのカード２の引抜きを阻止することが可能になる。その結果、本形態では、フィッシングを確実に防止することが可能になる。
【００４２】  特に本形態では、阻止爪３５ａが接触している状態のカード２に前側への引抜き力が生じたときにカード２に突き刺さるように阻止爪３５ａの先端が尖っており、阻止爪３５ａが接触している状態のカード２を犯罪者がカード挿入口３から引き抜こうとすると、阻止爪３５ａの先端がカード２に突き刺さる。したがって、本形態では、カード挿入口３からのカード２の引抜きを効果的に阻止することが可能になり、その結果、フィッシングをより確実に防止することが可能になる。
【００４３】  本形態では、カードリーダ１は、カード２の短手方向でカード２を搬送するように構成されている。また、本形態では、磁気ヘッドは、カード搬送路Ｗの下側からカード搬送路Ｗに臨むように配置されている。すなわち、本形態では、磁気ストライプが形成される側の面が下側を向いた状態のカード２がカード挿入口３から取り込まれる。また、本形態では、ロック部材１５は、阻止爪３５ａが下側からカード２に接触するように、カード搬送路Ｗの下側に配置されている。すなわち、本形態では、カード２の、磁気ストライプが形成される側の面に阻止爪３５ａが接触するように、ロック部材１５が配置されている。そのため、本形態では、万が一、阻止爪３５ａが接触している状態のカード２が犯罪者によって引き抜かれたとしても、阻止爪３５ａによってカード２の磁気ストライプに傷をつけることが可能になる。したがって、本形態では、万が一、阻止爪３５ａが接触している状態のカード２が犯罪者によって引き抜かれたとしても、引き抜かれたカード２の使用を阻止することが可能になる。
【００４４】  （他の実施の形態）  上述した形態は、本発明の好適な形態の一例ではあるが、これに限定されるものではなく本発明の要旨を変更しない範囲において種々変形実施が可能である。
【００４５】  上述した形態では、動力伝達機構１６は、平歯車２３、２５を備えており、平歯車２５がロック部材１５の歯部３５ａと噛み合っている。この他にもたとえば、平歯車２２がロック部材１５の歯部３５ａと噛み合うように動力伝達機構１６が構成されても良い。また、上述した形態では、動力伝達機構１６は、平歯車２２、２３、２５を備えているが、動力伝達機構１６は、平歯車２２、２３、２５に代えて、はす歯歯車を備えていても良い。この場合には、ロック部材１５の歯部３５ｂは、はす歯歯車と噛み合うように形成される。
【００４６】  上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。また、上述した形態では、カード２の裏面に磁気ストライプが形成されているが、カード２の裏面に代えて、カード２のおもて面に磁気ストライプが形成されても良い。たとえば、ＪＩＳＸ６３０２の規格に準拠した磁気ストライプがカード２のおもて面に形成されても良い。この場合には、カード搬送路Ｗの上側に磁気ヘッドが配置される。また、この場合には、ロック部材１５は、阻止爪３５ａが上側からカード２に接触するように、カード搬送路Ｗの上側に配置されることが好ましい。すなわち、カードロック機構７は、カード搬送路Ｗの上側に配置されることが好ましい。
【００４７】  上述した形態では、カードリーダ１は、カード２の短手方向でカード２を搬送して所定の処理を実行するように構成されている。この他にもたとえば、カードリーダ１は、カード２の長手方向でカード２を搬送して所定の処理を実行するように構成されても良い。また、上述した形態では、ロック部材１５は、固定軸３６に回動可能に保持されているが、ロック部材１５は、支持フレーム１７に回動可能に保持される回動軸に固定されても良い。なお、上述した形態において、カード搬送路Ｗ内のカード移動位置を検知するセンサが反応すべきではないときにカード検知信号を発する場合には、下フレーム１３の上側へ突出する阻止爪３５ａの先端側を、カード搬送路Ｗを開閉するシャッタとして使用しても良い。
【符号の説明】
【００４８】  １  カードリーダ  ２  カード  ３  カード挿入口  ７  カードロック機構  １４  モータ  １５  ロック部材  １６  動力伝達機構  １８  ねじ歯車  １９  はす歯歯車  ２０  ウォームギヤ  ２１  回転軸（第１回転軸）  ２２  平歯車（第１の平歯車）  ２３  平歯車（第２の平歯車）  ２４  回転軸（第２回転軸）  ２５  平歯車（第３の平歯車）  ２９  歯車側ピン  ３０  軸側ピン  ３１  ピンクラッチ  ３５ａ  阻止爪  ３５ｂ  歯部  ３６  固定軸  Ｘ２  カードの排出方向  Ｙ  第２回転軸の軸方向  Ｚ  カードの厚み方向  Ｗ  カード搬送路
【図１】
2015087866.tif 000003
【図２】
2015087866.tif 000004
【図３】
2015087866.tif 000005
【図４】
2015087866.tif 000006
【図５】
2015087866.tif 000007
【国際調査報告】
2015087866.tif 000008
2015087866.tif 000009